(57)【要約】【課題】桟橋本体の側面に取り付けられる防舷材において、取付構造に起因する防舷材の損傷の発生を防止することができ、且つ、外観を損ねることなく、取付作業性及びメンテナンス作業性の向上を図れるような構成を得る。【解決手段】浮き桟橋１のフレーム１１に形成された溝１３ａに嵌合される嵌合部２２において、２つの突条部２３，２３の中間で且つ本体部２１の外表面に、該突条部２３、２３同士を近づけるように弾性変形可能な肉盗み部２２ａを設ける。【選択図】図２
2010024664.tif 000002
【特許請求の範囲】
【請求項１】
桟橋本体の側面に取り付けられる防舷材であって、
内部に空洞を有し、接触する船舶の衝撃を吸収する本体部と、
上記本体部における船舶の接触側とは反対側に突設され、上記桟橋本体に形成された開口部の周縁部分に対して係合される複数の突出部を有する嵌合部と、を備え、
上記嵌合部における突出部同士の間には、該突出部が互いに近づくように弾性変形可能な肉盗み部が形成されていることを特徴とする防舷材。
【請求項２】
請求項１において、
上記突出部は、上記本体部と一体形成されていて、
上記肉盗み部は、上記本体部における船舶の接触側とは反対側の外表面に形成されていることを特徴とする防舷材。
【請求項３】
請求項１または２において、
上記本体部の内部には、船舶の接触方向に延びて該本体部の内部の空洞を複数に分割する仕切壁が設けられており、
上記嵌合部は、船舶の接触側から見て、上記仕切壁と重ならない位置に設けられていることを特徴とする防舷材。
【請求項４】
請求項１から３のいずれか一つにおいて、
上記肉盗み部は、上記突出部と突出部との中間位置に設けられていることを特徴とする防舷材。
【発明の詳細な説明】
【技術分野】
【０００１】
本発明は、船舶等を係留するための桟橋に設けられる防舷材に関し、その取付構造の技術分野に属する。
【背景技術】
【０００２】
従来より、船舶等を係留するための桟橋には、船舶が接触した場合の衝撃を吸収するために防舷材が設けられている。一般的に、この防舷材は、ゴムなどの弾性部材によって構成されているとともに、その内部に空洞が設けられていて、これにより、船舶との接触の際には容易に変形して、その衝撃を吸収できるようになっている。
【０００３】
上記防舷材は、例えば浮き桟橋などの桟橋本体に取り付けられている。その具体的な取付構造は、例えば図５に示すように、断面略Ｄ字状の防舷材１０１を桟橋のフレーム１０２に対してボルト１０３によって固定する構造や、例えば図６や特許文献１に示すように、桟橋のフレーム１１２に長手方向に延びる溝部１１２ａを設け、防舷材１１１の嵌合部１１１ａを該溝部１１２ａの長手方向端部から挿入して該溝部１１２ａ内を長手方向へスライドさせることにより係合させる構造などが知られている。なお、上記図５において、符号１０４は、上記防舷材１０１に対してボルト１０３を挿通させるための穴を塞ぐカバー部材である。
【特許文献１】特開平７−２９２６２０号公報
【発明の開示】
【発明が解決しようとする課題】
【０００４】
ところで、上記前者の構成のように、防舷材をボルトによって桟橋のフレームに取り付ける構成の場合には、該防舷材を取り付ける際にボルト締めの作業が必要になるため、取付作業時の作業性があまり良くないだけでなく、防舷材が劣化すると、ボルトによって固定されている部分の周辺から亀裂が発生する可能性がある。また、上記防舷材における船舶の接触側に、ボルトが露出したりカバー部材との継ぎ目が見えたりするため、該防舷材を取り付けた後の桟橋の外観を損ねることになる。
【０００５】
また、上記後者の構成のように、防舷材を桟橋のフレームに設けられた溝部に対してスライド移動させる構成の場合には、該防舷材をフレームに対して確実に嵌合させようとすると、該防舷材とフレームとの間の滑りが悪くなり、該防舷材の取付作業性が悪化する一方、上記防舷材とフレームとの間の滑りを良くすると、該防舷材とフレームとの嵌合が緩くなってしまう。さらに、上記防舷材を部分的に取り替える必要がある場合には、取り替える部分以外の防舷材も一緒にスライド移動させて、一旦、取り外す必要があるため、メンテナンス作業時の作業性も悪いという問題が生じる。
【０００６】
本発明は、斯かる諸点に鑑みてなされたものであり、その目的とするところは、桟橋本体の側面に取り付けられる防舷材において、取付構造に起因する防舷材の損傷の発生を防止することができ、且つ、外観を損ねることなく、取付作業性及びメンテナンス作業性の向上を図れるような構成を得ることにある。
【課題を解決するための手段】
【０００７】
上記目的を達成するために、本発明に係る防舷材では、内部に空洞を有する本体部に突設され、桟橋本体の側面に形成された開口部の周縁部分に係合する複数の突出部同士の間に、肉盗み部を設けて、該突出部同士が近づくような変形を容易にすることで、上記桟橋本体に対して防舷材を容易に取り付けられるようにした。
【０００８】
具体的には、請求項１の発明では、桟橋本体の側面に取り付けられる防舷材を対象とする。そして、内部に空洞を有し、接触する船舶の衝撃を吸収する本体部と、上記本体部における船舶の接触側とは反対側に突設され、上記桟橋本体に形成された開口部の周縁部分に対して係合される複数の突出部を有する嵌合部と、を備え、上記嵌合部における突出部同士の間には、該突出部が互いに近づくように弾性変形可能な肉盗み部が形成されているものとする。
【０００９】
この構成により、内部に空洞を有していて剛性の低い本体部に嵌合部が設けられている構成でも、該嵌合部を桟橋本体の側面に容易に取り付けることができる。すなわち、上記桟橋本体に形成された開口部の周縁部分に対して係合する上記嵌合部の複数の突出部は、該突出部同士の間に形成された肉盗み部によって、互いに近づくように変形可能なため、上記開口部内に嵌合部の突出部を容易に挿入することができる。そして、上記突出部を開口部内に挿入した後は、該突出部は開口部の周縁部分に係合し、防舷材が桟橋本体に取り付け固定される。
【００１０】
以上のように、上記桟橋本体の開口部に対して、嵌合部の突出部を容易に挿入できるような構成にすることで、従来のように防舷材をボルト固定する構成や防舷材を溝内でスライド移動させる構成などに比べて、取付作業が容易になり、作業性の向上を図れる。
【００１１】
また、上述のような構成にすることで、防舷材をボルトによって固定する場合のように、ボルト周辺から防舷材に亀裂が生じることもなく、防舷材の耐久性の向上を図れる。
【００１２】
さらに、防舷材の一部を取り替える場合にも、該当箇所以外の防舷材をスライド移動させる必要がなくなるため、メンテナンス作業寺の作業性の向上を図れる。
【００１３】
上述の構成において、上記突出部は、上記本体部と一体形成されていて、上記肉盗み部は、上記本体部における船舶の接触側とは反対側の外表面に形成されているものとする（第２の発明）。
【００１４】
これにより、内部に空洞を有していて柔らかい本体部に一体形成された複数の突出部を、肉盗み部によって互いに近づくように容易に変形させることができ、該突出部を桟橋本体の開口部内に容易に挿入することができる。したがって、上記第１の発明の構成を簡単な構成によって実現できる。
【００１５】
また、上記本体部の内部には、船舶の接触方向に延びて該本体部の内部の空洞を複数に分割する仕切壁が設けられており、上記嵌合部は、船舶の接触側から見て、上記仕切壁と重ならない位置に設けられているのが好ましい（第３の発明）。
【００１６】
本体部の内部に、船舶の接触方向に延びるように仕切壁が設けられた部分は、他の部分に比べて船舶の接触方向の剛性が高い。そのため、その剛性の高い部分に嵌合部が設けられていれば、桟橋本体の開口部内に該嵌合部の突出部を係合させるのもそれほど難しくはないが、上述のように、船舶の接触側から見て上記仕切壁と重ならない位置に嵌合部が設けられている構成では、剛性の低い本体部に形成された嵌合部を開口部に嵌合させるのは非常に難しい。したがって、上述のような構成の場合には、上記第１、２の発明の構成にすることで、防舷材の嵌合部を開口部に容易に嵌合させることができ、該防舷材を桟橋本体に取り付ける際の作業性の向上を確実に図れる。
【００１７】
また、上記肉盗み部は、上記突出部と突出部との中間の位置に形成されているのが好ましい（第４の発明）。これにより、複数の突出部を互いに近づくようにより容易に変形させることが可能となるため、桟橋本体の開口部への該突出部の挿入がより容易になって、防舷材の桟橋本体への取付作業性の向上を図れる。
【発明の効果】
【００１８】
第１の発明によれば、内部に空洞を有する本体部に突設され、桟橋本体の側面に形成された開口部の周縁部分に対して係合される複数の突出部同士の間に、該突出部が互いに近づくように変形可能な肉盗み部を設けたため、上記突出部の桟橋本体への取付作業性の向上を図れる。また、従来のボルト固定の構造に比べて耐久性の向上を図れるとともに、防舷材を取付部材に対してスライド移動させる構造に比べてメンテナンス作業時の作業性の向上を図れる。
【００１９】
また、第２の発明によれば、上記突出部は本体部と一体形成されていて、上記肉盗み部は、上記本体部の船舶の接触側とは反対側の外表面に形成されているため、簡単な構成で上記第１の発明の構成を実現できる。
【００２０】
また、第３の発明によれば、上記本体部には、船舶の接触方向に延びて該本体部の内部の空洞を複数に分割する仕切壁が設けられていて、上記嵌合部は、船舶の接触側から見て上記仕切壁と重ならない位置に設けられているため、このように剛性の低い部分に嵌合部が設けられている構成に対し、上記第１、２の発明の構成を適用すれば、より効果的である。
【００２１】
さらに、第４の発明によれば、上記肉盗み部は、突出部と突出部との中間位置に設けられているため、該突出部同士をより容易に近づけることができ、防舷材の取付部材への取付作業性をより向上させることができる。
【発明を実施するための最良の形態】
【００２２】
以下、本発明の実施形態を図面に基づいて説明する。なお、以下の好ましい実施形態の説明は、本質的に例示に過ぎず、本発明、その適用物或いはその用途を制限することを意図するものではない。
【００２３】
−浮き桟橋の構成−
図１は、本発明の実施形態に係る防舷材２０を適用した浮き桟橋１の概略構成を示す。この浮き桟橋１は、例えば小型の船舶を係留するための係留施設として用いられるものであり、人の通路や船舶の係留部分などを構成する桟橋本体部２（桟橋本体）と、該桟橋本体部２を水上に浮かせるためのフロート部３とを備えている。
【００２４】
上記桟橋本体部２は、その上面に人が通行可能な通路を構成するように形成されている。具体的には、上記桟橋本体部２は、金属製の筒状部材を組み合わせてなるフレーム１１と、該フレーム１１によって支持されるデッキ１２と、を備えている。このフレーム１１は、平行に配置された２本の角筒部材１３，１３間に、複数の梁部材１４，１４，…を配置してなるもので、上記デッキ１２及び該デッキ１２上の通路を移動する人や物の重量を支持可能な強度を有するように構成されている。
【００２５】
また、上記フレーム１１は、梁部材１４上に上記デッキ１２を配置できるように、該梁部材１４が角筒部材１３の上面に対してデッキ１２の厚み分だけ下方位置で該角筒部材１３に接続されている。これにより、上記フレーム１１の上面と上記デッキ１２の上面とを、ほぼ面一にすることができ、浮き桟橋１の外観の向上を図れる。
【００２６】
さらに、詳しくは後述するが、上記フレーム１１における上記桟橋本体部２の幅方向外方側の側面には、係留時や係留中などに船舶が桟橋本体部２に衝突したときの衝撃を吸収するための防舷材２０が設けられている。この防舷材２０を設けることで、船舶が衝突したときのエネルギーを該防舷材２０によって吸収することができ、上記桟橋本体部２が損傷を受けるのを防止できる。
【００２７】
上記デッキ１２は、人が通行可能な上記通路を構成するものであり、木製の複数の平板部材１５，１５，…と、該平板部材１５の下側に配設され、上記角筒部材１３に平行に延びる複数の補強部材１６，１６，…と、を備えている。すなわち、上記平板部材１５は、その短手方向に複数、並べられた状態で上記補強部材１６に取り付け固定されていて、該補強部材１６が上記フレーム１１の梁部材１４上に載置されることで、該フレーム１１上に敷設される。
【００２８】
なお、上記フレーム１１の角筒部材１３の側面に対し、別のフレーム１７の端部を接続して、該フレーム１７に別のデッキ１８を配設すれば、上記図１に示すように、Ｔ字状の通路を有する浮き桟橋を構成することができる。
【００２９】
上記フロート部３は、内部に気体を貯留可能なように袋状に形成されていて、上記桟橋本体部２のフレーム１１の下側に取り付けられている。上記フロート部３を上記桟橋本体部２の下側に配置することで、該桟橋本体部２を確実に水面上に浮かせることができ、該桟橋本体部２に船舶を係留させることができる。
【００３０】
−防舷材−
上記浮き桟橋１の桟橋本体部２を構成する角筒部材１３の側面のうち、該桟橋本体部２の幅方向両端側の側面には、長手方向に延びる溝１３ａ（開口部）が形成されていて、該溝１３ａに対して防舷材２０が嵌合されている。
【００３１】
詳しくは、図２に示すように、上記角筒部材１３の側面の上方側には、該角筒部材１３の長手方向に延びるように溝１３ａが設けられていて、該溝１３ａの内周縁部（周縁部分）に対して、防舷材２０の嵌合部２２が嵌合している。
【００３２】
より詳しくは、上記防舷材２０は、ゴムや高分子エラストマー（例えばポリ塩化ビニルやポリウレタン、ポリオレフィン等）などの弾性材料（例えば、ゴム硬度ショアＡで約３０〜９５のもの）からなるもので、断面略Ｄ字状の本体部２１と、該本体部２１の平面側から突出するように該本体部２１に一体形成された２つの突条部２３，２３（突出部）を有する嵌合部２２とからなる。
【００３３】
上記防舷材２０の本体部２１は、断面略Ｄ字状になるように内部に空洞が形成されているとともに、該空洞を２つに区画するように内部に仕切壁２１ｂが一体形成されている。そして、上記防舷材２０は、本体部２１の曲面側が、船舶との接触側になるように、該本体部２１の平面側に設けられた嵌合部２２を介して上記角筒部材１３に取り付けられている。すなわち、上記仕切壁２１ｂは、上記本体部２１内に、船舶の接触によって衝撃の伝わる方向（以下、接触方向ともいう）に延びるように設けられていて、該本体部２１内の空洞は、上記仕切壁２１ｂによって上下の空洞２１ａ，２１ａに区画されている。
【００３４】
上記嵌合部２２は、上記防舷材２０の本体部２１の平面側の上部に、船舶の接触側から見て上記仕切壁２１ｂと重ならないような位置に設けられている。船舶の接触側から見て上記仕切壁２１ｂと重ならない位置は、該仕切壁２１ｂと重なる位置に比べて船舶の接触方向の剛性が低いため、そのような位置に嵌合部２２が設けられている構成では、本体部２１を押しても該嵌合部２２が角筒部材１３の溝１３ａに嵌合しにくい。そのため、詳しくは後述するように、本発明では、上記嵌合部２２が溝１３ａに嵌合しやすいように、該嵌合部２２に工夫が施されている。
【００３５】
また、上記嵌合部２２は、突出端に向かうほど互いに離間するように形成された、２つの突条部２３，２３を備えている。このように、突条部２３，２３を、先端に向かうほど互いに離間するように形成することで、該突条部２３，２３を上記角筒部材１３の溝１３ａ内に挿入した状態で、該突条部２３，２３の弾性復元力によって該溝１３ａの内周縁部（周縁部分）に突条部２３，２３を係合させることができる。また、上記各突条部２３の先端側には、他方の突条部２３とは反対側に膨出する鈎部２３ａが形成されている。これにより、上記突条部２３は、上記角筒部材１３の溝１３ａに対し、上記鈎部２３ａによってより確実に係合する。
【００３６】
上記嵌合部２２において、上記突条部２３，２３間の本体部２１の平面側（角筒部材１３に対する取付側）の外表面には、上記防舷材２０の長手方向（図２の紙面方向）に延びる溝状の肉盗み部２２ａが設けられている。この肉盗み部２２ａは、上記２つの突条部２３，２３の中間に設けられていて、上記本体部２１の肉厚の略半分の深さを有している。これにより、上記突条部２３，２３は、互いに近づく方向に弾性変形を生じやすくなるため、該突条部２３，２３を上記角筒部材１３の溝１３ａ内に挿入する際に該突条部２３，２３を容易に変形させて互いに近づけることができ、該溝１３ａ内への突条部２３，２３の挿入作業が容易になる。したがって、上述のような肉盗み部２２ａを設けることで、上記角筒部材１３の溝１３ａに突条部２３，２３を取り付ける際の作業性の向上を図れる。
【００３７】
また、上記肉盗み部２２ａは、断面視で底部が概略円形状になるように形成されている。これにより、上記肉盗み部２２ａで変形が生じたときに、該肉盗み部２２ａの底部で応力集中が生じ、該応力集中によって防舷材２０が損傷を受けるのを防止できる。
【００３８】
−実施形態の効果−
以上より、この実施形態によれば、浮き桟橋１のフレーム１１を構成する角筒部材１３に取り付けられる防舷材２０において、該角筒部材１３の溝１３ａに係合される嵌合部２２の突条部２３，２３の中間で且つ断面略Ｄ字状の本体部２１の平面側（取付側）の表面（外表面）に、上記防舷材２０の長手方向の延びる溝状の肉盗み部２２ａを設けたため、上記突条部２３，２３を溝１３ａ内に挿入する際に、突条部２３，２３が互いに近づくように該突条部２３，２３を容易に変形させることができ、該突条部２３，２３の溝１３ａへの挿入作業を容易に行うことができる。したがって、上記フレーム１１に対する上記防舷材２０の取付作業性の向上を図れる。
【００３９】
特に、上記実施形態のように、船舶の接触側から見て本体部２１の仕切壁２１ｂと重ならない位置に嵌合部２２が設けられている構成では、該嵌合部２２に対応する本体部２１の船舶の接触方向の剛性が低いため、該係合部２２を角筒部材１３の溝１３ａに係合させる際に本体部２１を押しても、係合部分に力が伝わりにくく、上記係合部２２を溝１３ａに係合させるのは非常に難しいが、上述のような肉盗み部２２ａを設けることで、上記係合部２２を溝１３ａに容易に係合させることができる。さらに、上記本体部２１が、弾性変形時に大きなバネ力を生じる樹脂成形品などに比べて軟質の材料（例えばゴムやエラストマーなどの弾性材料）からなり且つ肉厚の場合には、上記係合部２２を溝１３ａに係合させるのはさらに困難となるが、上述のような構成にすることで、該係合部２２を溝１３ａに容易に係合させることができる。すなわち、軟質且つ肉厚の本体部２１の場合には、上述のような構成がより有効である。
【００４０】
しかも、上述のような構成にすることで、従来のように、防舷材をスライドさせて取り付けることなく、浮き桟橋１のフレーム１１に対して正面から防舷材２０を取り付けることが可能となるため、該防舷材２０を取り替える際に、取り替え部分のみを取り外して新しい防舷材２０を取り付けることができ、メンテナンス作業時の作業性の向上を図れる。
【００４１】
また、上記肉盗み部２２ａの底部を断面視で概略円形状にすることで、上述のように上記突条部２３，２３を互いに近づけるように変形させる場合に、上記肉盗み部２２ａで生じる変形によって、該肉盗み部２２ａの底部で応力集中が生じるのを防止でき、該応力集中によって防舷材２０が損傷を受けるのを防止できる。
【００４２】
−実施形態の変形例１−
この変形例１は、図３に示すように、防舷材３０の本体部３１内に仕切壁が設けられていない点が上記実施形態とは異なる。
【００４３】
具体的には、上記図３に示す防舷材３０は、断面略Ｄ字状の本体部３１内に上記実施形態のような仕切壁が設けられておらず、内部には１つの空洞３１ａのみを有している。嵌合部３２の構成は、上記実施形態と同様なので説明を省略する。
【００４４】
このように、本体部３１内に１つの空洞３１ａのみが形成されている防舷材３０は、比較的、サイズが小さいため、上記実施形態の場合よりも船舶との接触時の衝撃が小さい部分などに設けられる。
【００４５】
上述のような小型の防舷材３０でも、上記実施形態と同様、突条部３３，３３間に肉盗み部３２ａを形成することで、該突条部３３，３３をフレーム１１の角筒部材１３に形成された溝１３ａ内に容易に挿入することができ、上記防舷材３０の取付作業性の向上を図れる。
【００４６】
−実施形態の変形例２−
この変形例２は、図４に示すように、防舷材４０の本体部４１内に２つの仕切壁４１ｂ，４１ｂが設けられていて、該本体部４１の内部の空洞が３つに区画されている点や、嵌合部４２，４２が２つ設けられている点が上記実施形態とは異なる。
【００４７】
具体的には、上記図４に示す防舷材４０は、断面略Ｄ字状の本体部４１内に、空洞を３つに区画するように２つの仕切壁４１ｂ，４１ｂが設けられている。これにより、上記防舷材４０の本体部４１の内部は、上下方向に３つの空洞４１ａ，４１ａ，４１ａに区画される。嵌合部４２の構成は、上記実施形態と同様なので説明を省略する。
【００４８】
このように、本体部４１内に３つの空洞４１ａ，４１ａ，４１ａが形成されている防舷材４０は、比較的、サイズが大きいため、上記実施形態の場合よりも船舶との接触時の衝撃が大きい部分などに設けられる。
【００４９】
また、上記防舷材４０には、上下方向に並んで嵌合部４２，４２が２つ設けられている。これらの嵌合部４２，４２は、それぞれが浮き桟橋のフレームの角筒部材５３に形成された溝部５３ａ，５３ａに嵌合するように構成されている。なお、上記嵌合部４２の構成は、上記実施形態と同様なので、詳しい説明は省略する。
【００５０】
上述のような大型の防舷材４０でも、上記実施形態と同様、突条部４３，４３間に肉盗み部４２ａを形成することで、該突条部４３，４３を浮き桟橋のフレームの角筒部材５３に形成された溝５３ａ内に容易に挿入することができ、上記防舷材４０の取付作業性の向上を図れる。
【００５１】
なお、上記仕切壁４１ｂ、４１ｂは、３つ以上設けてもよい。この場合にも、船舶の接触側から見て、仕切壁と重ならないような位置に、嵌合部４２が設けられる構成の場合に、上記実施形態のような肉盗み部４２ａを設ければより効果的である。
【００５２】
（その他の実施形態）
本発明の構成は、上記実施形態に限定されるものではなく、それ以外の種々の構成を包含するものである。すなわち、上記実施形態では、防舷材２０，３０，４０の本体部２１，３１，４１を断面略Ｄ字状としているが、この限りではなく、断面矩形状など、船舶の衝突時の衝撃を吸収できるような形状であれば、どのような断面形状であってもよい。
【００５３】
また、上記実施形態では、フレーム１１に取付用の溝１３ａ，５３ａを形成して、該溝１３ａ，５３ａに防舷材２０，３０，４０を係合させるようにしているが、この限りではなく、上記フレーム１１に取付部材を設け、該取付部材を介して上記防舷材２０，３０，４０を取り付けるようにしてもよい。なお、この場合には、取付部材も本発明に係る桟橋本体に含まれる。
【００５４】
また、上記実施形態では、防舷材２０，３０，４０を取り付けるために、フレーム１１に溝１３ａ，５３ａを形成しているが、この限りではなく、単なる穴部であってもよい。この場合には、該穴部に対応するように、上記防舷材２０，３０，４０も突条部２３，３３，４３ではなく、突部にする必要がある。
【００５５】
また、上記実施形態では、肉盗み部２２ａ，３２ａ，４２ａを突条部２３，３３，４３同士の中間位置に本体部２１，３１，４１の肉厚の略半分の深さまで形成しているが、この限りではなく、該突条部２３，３３，４３を互いに近づけるような弾性変形を生じやすく且つ該２３，３３，４３を弾性復元力によってフレーム１１の溝１３ａ，５３ａに確実に係合できるような位置や形状であれば、どのような位置・形状でもよい。
【００５６】
また、上記実施形態では、断面略Ｄ字状の本体部２１の平面側の外表面に、肉盗み部２２ａを設けているが、この限りではなく、該本体部２１の平面側の内表面に肉盗み部を設けてもよい。このように本体部２１の内表面に肉盗み部を設けた場合には、該肉盗み部が拡大するように変形させることで、突条部２３，２３同士を近づけることができる。なお、肉盗み部２２ａを閉じるように変形させる上記実施形態の構成（本体部２１の外表面側に肉盗み部２２ａを設ける構成）の方が、変形時に作用する応力が小さくなるため、耐久性が高い。
【００５７】
さらに、上記実施形態では、フレーム１１の角筒部材１３，５３を図２から図４のような断面形状としているが、この限りではなく、浮き桟橋を構成することができ、防舷材２０，３０，４０を取り付けられるような構成であれば、どのような断面形状であってもよい。
【産業上の利用可能性】
【００５８】
本発明は、浮き桟橋に取り付けられる防舷材において、該浮き桟橋のフレームの角筒部材に形成された溝に係合する突出部を容易に変形させられるように本体部に肉盗み部を設けたため、浮き桟橋に対する防舷材の取付構造に特に有用である。
【図面の簡単な説明】
【００５９】
【図１】本発明の実施形態に係る防舷材が取り付けられた浮き桟橋の概略構成を示す斜視図である。
【図２】図１におけるII-II線断面図である。
【図３】変形例１に係る防舷材を示す図２相当図である。
【図４】変形例２に係る防舷材を示す図２相当図である。
【図５】防舷材をボルトで固定する従来構成を示す図２相当図である。
【図６】防舷材をスライドさせて取り付ける従来構成を示す図２相当図である。
【符号の説明】
【００６０】
１      浮き桟橋
２      桟橋本体部（桟橋本体）
１１      フレーム
１３，５３        角筒部材
１３ａ，５３ａ    溝（開口部）
２０，３０，４０          防舷材
２１，３１，４１          本体部
２１ａ，３１ａ，４１ａ    空洞
２１ｂ，４１ｂ            仕切壁
２２，３２，４２          嵌合部
２２ａ，３２ａ，４２ａ    肉盗み部
２３，３３，４３          突条部（突出部）
【図１】
2010024664.tif 000003
【図２】
2010024664.tif 000004
【図３】
2010024664.tif 000005
【図４】
2010024664.tif 000006
【図５】
2010024664.tif 000007
【図６】
2010024664.tif 000008